(57)【特許請求の範囲】
【請求項１】
管理コンピュータを介して運転日報を出力する車両用運行管理方法であって、
運行記録計に備わるメモリカードから、アルコール測定装置によるアルコール濃度測定データを含む運行記録に関する各種データを、前記管理コンピュータで解析し、
前記運転日報に出力される運行時刻軸を横軸とするグラフによって車両の走行速度を出力し、前記グラフの運行時刻軸の下方における対応する時刻位置にアルコールの検出または未検出を識別できる識別子をそれぞれ出力し、前記各識別子の横に前記識別子に対応するアルコール濃度測定時刻をそれぞれ出力することを特徴とする車両用運行管理方法。
【請求項２】
アルコール濃度測定回数及びアルコール検出回数をそれぞれ前記運転日報に出力することを特徴とする請求項１に記載の車両用運行管理方法。
【発明の詳細な説明】
【技術分野】
【０００１】
本発明は、バスやトラック等の車両に搭載された運行記録計に記録された各種データとアルコール濃度測定データとを解析する車両用運行管理方法に関する。
【背景技術】
【０００２】
道路運送車両の保安基準に基づきバスやトラックやタクシー等は、運行記録計を搭載することが義務づけられている。また、貨物自動車運送業者や旅客自動車運送業者は、運行記録計で得られた各種データを解析して運転日報を作成し、ドライバーの安全運転確保に必要な指導監督も義務づけられている。このような背景を踏まえ、特に飲酒運転防止に関する車両用運行管理方法に対して幾つかの提案が成されている。
【０００３】
＜特許文献１記載の車両用運行管理方法＞
図４は、従来技術の車両用運行管理方法を示し、図４（Ａ）は、運行記録計の概略図、図４（Ｂ）は、管理コンピュータにより出力される帳票フォーマット図である。図４（Ａ）に示される運行記録計１００は、運行記録計１００から得られる各種のデータを記録するメモリカード１１５を備え、各種データは、操作パネルである操作ボタン部１４３、車両センサである速度エンジン回転センサ１４０、電源、ＧＰＳユニット１１４、通信ユニット１１６、等、の各種設備と接続することにより取得できる。メモリカード１１５に記録された各種データは、運行管理者の所在する管理センター等にある管理コンピュータで解析され、安全運転診断に利用される。図４（Ｂ）の帳票である運転日報５００により、各診断項目を総合的に判断して指導のコメントが付されると共に、安全、省燃費運転度合いが点数化され表現される。自動生成された運転日報５００を用いて安全運転の啓蒙と燃費の向上を目指し、正確な安全運転診断、省燃費運転診断が実現できることが開示されている。
【０００４】
＜特許文献２記載の車両用運行管理方法＞
図５は、他の従来技術の車両用運行管理方法を示し、図５（Ａ）は、管理コンピュータの概略図、図５（Ｂ）は、管理コンピュータにより出力されるアルコール検査確認画面図である。図５（Ａ）に示される管理コンピュータ３００Ｓは、ディスプレイ３１０Ｓ、プリンター３２０Ｓ、カードリーダ３３０Ｓ、アルコール測定装置２００Ｓ、等、と接続されている。また、カードリーダ３３０Ｓは、運行記録計のメモリカードの記録された各種データを読み取ることができる。アルコール測定装置２００Ｓは、乗務前点呼時または乗務後点呼時におけるドライバー呼気に含まれるアルコール濃度を測定し、測定したアルコール濃度を電子データとして管理コンピュータ３００Ｓに出力する。
【０００５】
測定されたアルコール濃度は、図５（Ｂ）に示す通り、乗務前点呼日時表示エリアに点呼日時、ドライバー情報表示エリアにドライバー情報、アルコール濃度表示エリアにアルコール濃度が表示され、飲酒有無入力エリア、等が表示される。飲酒有の場合、その日の乗務は禁止される。運転管理者は、飲酒の経過をドライバーから聴取し、必要があれば、測定されたアルコール濃度と共に聴取録を作る。点呼データを利用して、ドライバーに法令の規則や遵守を徹底させることができ、ドライバーの運行の安全を確保することができることが開示されている。
【先行技術文献】
【特許文献】
【０００６】
【特許文献１】特開２００４−２３４２６０号公報
【特許文献２】特開２０１１−１３９３６号公報
【発明の概要】
【発明が解決しようとする課題】
【０００７】
＜特許文献１記載の欠点＞
特許文献１記載の車両用運行管理方法では、運転日報５００を用いた安全診断方法が開示されているが、特にアルコール測定装置２００との関連は記載されていない。
【０００８】
＜特許文献２記載の欠点＞
特許文献２記載の車両用運行管理方法では、乗務前点呼時または乗務後点呼時におけるドライバー呼気に含まれるアルコール濃度をアルコール測定装置２００Ｓで測定し、測定したアルコール濃度を電子データとして管理コンピュータ３００Ｓに出力する点は、開示されているが、運行記録計１００Ｓから取得する他のデータとの関連が不明であるという欠点を生じていた。
【０００９】
本発明は、上述した事情に鑑みてなされたものであり、その目的は、運行管理をし易くかつ強化にして、ドライバーの飲酒運転の防止と安全運転に対するモラルの向上を図る車両用運行管理方法を提供することにある。
【課題を解決するための手段】
【００１０】
前述した目的を達成するために、本発明に係る、下記（１）〜（２）を特徴としている。
（１）  管理コンピュータを介して運転日報を出力する車両用運行管理方法であって、
運行記録計に備わるメモリカードから、アルコール測定装置によるアルコール濃度測定データを含む運行記録に関する各種データを、前記管理コンピュータで解析し、
前記運転日報に出力される運行時刻軸を横軸とするグラフによって車両の走行速度を出力し、前記グラフの運行時刻軸の下方における対応する時刻位置にアルコールの検出または未検出を識別できる識別子をそれぞれ出力し、前記各識別子の横に前記識別子に対応するアルコール濃度測定時刻をそれぞれ出力すること。
（２）  上記（１）の構成の車両用運行管理方法であって、
アルコール濃度測定回数及びアルコール検出回数をそれぞれ前記運転日報に出力すること。
【００１１】
上記（１）の方法では、アルコール濃度測定の記録が時系列的に容易に把握でき、同時にアルコールの検出・未検出の違いが明確と成り、ドライバーに対して運行管理者が的確な指示・アドバイスができるため、ドライバーの飲酒運転の予防と安全運転に対するモラルの向上が図れる。更には、アルコール濃度測定と運転状態との関連が明確になり、ドライバーに対する指導が的確と成る。
上記（２）の方法では、特にアルコール濃度測定を実行した回数とアルコール検出回数の対比が可能となり、同一運行内で行うアルコール濃度測定の回数に寄らず、全ての結果が一指標で把握でき、運転者の飲酒運転を厳格に管理可能とし、運行管理指導の判断基準とすることができる。
【発明の効果】
【００１２】
本発明によれば、運転日報とアルコール濃度測定結果との関連付けを明確にして、運行管理を的確に行うと共に、ドライバーに対して運転開始前のアルコール濃度測定を義務付けが容易となり、ドライバーの飲酒運転を防止できる車両用運行管理方法を提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】図１は、本発明の車両用運行管理方法を行うための一実施形態を示す構成図である。
【図２】図２は、図１の車両用運行管理方法の管理コンピュータで行う運行記録の解析手順を示すフローチャートである。
【図３】図３は、図１の車両用運行管理方法で出力される帳票の一実施例の拡大図である。
【図４】図４は、従来技術の車両用運行管理方法を示し、図４（Ａ）は、運行記録計の概略図、図４（Ｂ）は、管理コンピュータにより出力される帳票フォーマット図である。
【図５】図５は、従来技術の車両用運行管理方法を示し、図５（Ａ）は、管理コンピュータの概略図、図５（Ｂ）は、管理コンピュータにより出力されるアルコール検査確認画面図である。
【発明を実施するための形態】
【００１５】
以下、本発明に係る好適な実施形態を図面に基づいて詳細に説明する。
【００１６】
＜具体的構成＞
図１は、本発明の車両用運行管理方法を行うための一実施形態を示す構成図である。図１に基づいて、本発明の車両用運行管理方法を説明する。
【００１７】
車両用運行管理方法を行うための構成は、少なくとも運行記録計１０とアルコール測定装置２０と管理コンピュータ（サーバー）３０から成る。
【００１８】
トラックやバス等に搭載が義務づけられている運行記録計（デジタルタコグラフとも言う）１０は、少なくとも制御部（演算も兼ねる）であるＣＰＵ１１と、ＲＡＭ１２と、ＲＯＭ１３と、ＧＰＳユニット１４と、メモリカード１５と、通信ユニット１６と、から成る。ＣＰＵ１１は、運行記録計１０の全体を制御し、各種のデータを取得演算処理する。ＧＰＳユニット１４は、車両の位置情報や距離情報や時間情報を与える。メモリカード１５は、運行記録計１０で取得されたデータをＣＳＶファイルやＴＳＶファイル等で記録し、管理コンピュータ３０で行う解析に必要な運行情報データを提供する。通信ユニット１６は、運行管理者が必要とするデータを運行記録計１０から送信、及び運行管理者からの情報を受信するために利用される。尚、運行記録計１０には、記憶媒体として内蔵型ハードディスクを備えていてもよい。
【００１９】
運行記録計１０は、上述のほか、各種装置と連動している。各種装置とは、車両の速度やエンジン回転数を検知する速度エンジン回転センサ４０、運転者の声の録音・警告音発生・運行管理者との会話等を行う音声入出力装置４１、運行記録計１０の作動状態や運転者に警告メッセージを表示する表示部４２、運行記録計１０の各種操作をする操作ボタン部４３、運転者の画像データを取得する撮像装置４４、等である。
【００２０】
アルコール測定装置２０は、情報伝送手段（例えば、ＵＳＢや赤外線通信等）、を介して運行記録計１０と着脱自在に伝送接続され、アルコール濃度用センサによって運転者のアルコール濃度を検知して測定する装置である。尚、アルコール濃度用センサは、呼気を吹きかけるタイプであれば、ガス（ここではエタノール）が酸化物半導体の表面で吸着反応して電気抵抗が変化する半導体ガスセンサであり、汗に光を当てて分析するタイプであれば、光吸収分析センサである。測定されたアルコール濃度は、メモリカード１５にも記憶される。尚、アルコール測定装置２０は、市販されているものを活用してもよい。
【００２１】
管理コンピュータ３０は、運行管理者が所在する運送事業会社の管理センター等に設置されている、サーバーコンピュータでもある。管理コンピュータ３０は、ディスプレイ３１とプリンター３２とを備え、メモリカード１５に記録されたデータを読み取るカードリーダ３３を備えている。
【００２２】
ドライバーは、出庫時、入庫時の他、ドライブインやサービスエーリア等で休憩した後、車両（トラック、バス等）の運転を再開する前に、必ずアルコール測定装置２０でアルコール濃度を測定する。アルコール濃度測定データは、メモリカード１５に記録され、ドライバーが業務を終了した後、運行管理者にメモリカード１５を渡す。受け取った運行管理者は、メモリカード１５をカードリーダ３３に差し込み、運行記録を管理コンピュータ３０で解析し、後述する図３の運転日報（安全運転日報とも言う）５０を出力する。
【００２３】
＜データ解析フロー＞
図２は、本発明の車両用運行管理方法の管理コンピュータで行う運行記録の解析手順を示すフローチャートである。図２を用いて管理コンピュータ３０で行う解析手順を説明する。
【００２４】
ステップＳ７０［メモリカード挿入］：運行管理者は、メモリカード１５をカードリーダ３３に差し込む。
【００２５】
ステップＳ７１［メモリカード読込］：メモリカード１５に記録された運行記録データを、カードリーダ３３を介して管理コンピュータ３０に記録させる。
【００２６】
ステップＳ７２［データ解析］：管理コンピュータ３０の運行管理解析プログラムを用いて運行記録データを解析する。ドライバー名、運行日付、運行時刻、走行距離、休憩時間、作業時間、走行速度、エンジン回転数、燃料、平均速度、等、の車両の運行状態に関する情報データと共にアルコール濃度測定データも解析する。
【００２７】
ステップＳ７３［アルコール濃度測定記録判定］：アルコール濃度測定の記録がある場合は、ステップＳ７４に進み、記録のない場合はステップＳ８０に進む。
【００２８】
ステップＳ７４［測定時刻・結果解析］：アルコール濃度測定時刻とアルコール濃度検出結果を解析する。
【００２９】
ステップＳ７５［アルコール未検出判定］：アルコール濃度未検出の場合は、ステップＳ７６に進み、アルコール濃度検出の場合はステップＳ８２に分岐する。
【００３０】
ステップＳ７６［出力形式処理］：アルコール濃度検出と対比してアルコール濃度未検出であることが理解される識別子ＩＤを選定する。識別子ＩＤに関しては、後述する図３に於いて詳述する。
【００３１】
ステップＳ７７［測定時刻処理］：アルコール濃度測定データを時系列でソートし、時刻の早い順から抽出し、識別子ＩＤと組み合わせる。
【００３２】
ステップＳ７８［検出回数＋１］：アルコール濃度測定データを処理する毎にカウントする。
【００３３】
ステップＳ７９［記録解析済み判定］：全てのアルコール濃度測定データを処理したか否か判定する。全データ処理の場合は、ステップＳ８０に進み、未処理の場合は、ステップＳ７３に戻る。
【００３４】
ステップＳ８０［演算処理］：アルコール濃度検出回数のカウントデータを基にアルコール濃度測定回数をカウントし、［アルコール検出回数／アルコール濃度測定回数］データを生成する。
【００３５】
ステップＳ８１［出力処理］：運転日報５０を出力する。出力する装置がディスプレイ３１であれば画面表示であり、プリンター３２であれば印刷である。それぞれのアウトプット形式に合わせて出力する。以上でステップを終了する。
【００３６】
ステップＳ８２［出力形式処理］：アルコール濃度未検出と対比してアルコール濃度検出であることが理解される識別子ＩＤを選定する。
【００３７】
ステップＳ８３［検出回数＋１］：アルコール濃度検出データを処理する毎にカウントし、ステップＳ７７に進む。
【００３８】
＜運行日報の一例＞
以上のステップにより、運転日報５０を出力できる。図３は、本発明の車両用運行管理方法で出力される帳票の一実施例の拡大図である。出力された帳票は、運転日報５０の一例で、プリンター３２により印刷される。
【００３９】
運転日報５０には、ドライバー名（図示されていない）、運行日付、運行時刻、走行距離、等の管理項目の他、一管理項目であるアルコール検出項目５１が上段に出力されている。アルコール検出項目５１には、「アルコール検出」と印字された横に［アルコール検出回数／アルコール濃度測定回数］が出力され、この実施例では、１／５回と出力されている。上段の項目の下に、走行速度とエンジン回転数が、折れ線グラフで出力されている。左縦軸は速度［ｋｍ／ｈ］、右縦軸はエンジン回転数［ｒｐｍ］、横軸は運行時刻である。
【００４０】
また、横軸の運行時刻軸５２に沿って所々に、◇または◆マークと当該マークに直列して時刻が表示されている。これは、アルコール濃度測定時刻とアルコール濃度検出結果を同時に示している。◇または◆マークは、相違を明らかにするための識別子ＩＤであり、本発明の実施形態の一例として、アルコール濃度未検出は、◇マークで、検出は◆マークで出力されている。
【００４１】
例えば、「◆１３：４６」は、１３時４６分にアルコール濃度測定を行い、その結果、アルコールが検出されたことを示す。また、「◇１４：１３」は、同様に１４時１３分にアルコール濃度測定を行い、その結果アルコールが検出されていないことを示している。走行速度との関係から、アルコール検出された後は、運転をしていないことが分かるが、その以前に飲酒していた可能性があり、一時的に飲酒運転をしていたことを疑わせる。
【００４２】
この様に、アルコール濃度測定データを他の運行記録データ、例えば走行速度グラフ、と併用することにより、運転状態との関連が正確に把握され、運行管理指導が的確と成る。しかも、一つの出力で、ドライバーも納得できるエビデンスが整い、効率の良い業務管理ができる。また、同時に、アルコール検出項目５１も同一出力上で運転日報５０に出力できるので、短時間の分析が可能となり、運行管理指導のスピードアップにも繋がる。また、ドライバーの飲酒運転防止の意識付けが容易となり、安全運転指導の向上にも役立つ。
【００４３】
識別子ＩＤとは、対象が同じか違うかの区別ができる記号ではあるが、本発明では、色や形や文字の相違、出力形態の相違も含まれている。本発明の一実施形態に於いては、◇マークと◆マークとで識別していることを詳述したが、○と×、□と△、等の記号や文字や絵柄の相違、アルコール濃度検出時のみマークを付ける、測定時刻を赤字にする、等々が適宜選択可能である。また、画面表示であれば、点滅等も可能である。アルコール濃度未検出と検出の相違が明確である出力形式を、本発明では、識別子ＩＤと定義している。
【００４４】
＜本発明のまとめ＞
本発明の実施形態の車両用運行管理方法においては、少なくとも運行記録計１０とアルコール測定装置２０と管理コンピュータ３０とを備え、運行記録計１０に備わるメモリカード１５から、アルコール測定装置２０から得られるアルコール濃度測定データを含む運行記録１０に関する各種データを、管理コンピュータ３０で解析し、運転日報５０に出力される運行時刻軸５２に沿って、アルコール濃度測定時刻と、アルコール濃度の検出または未検出を識別できる識別子ＩＤと、出力することを特徴としている。
【００４５】
この方法により、アルコール濃度測定の記録が時系列的に容易に把握でき、同時にアルコール濃度の検出・未検出の違いが明確と成り、ドライバーに対して運行管理者が的確な指示・アドバイスができるため、ドライバーの飲酒運転の予防と安全運転に対するモラルの向上が図れる。
【００４６】
また、本発明の実施形態の車両用運行管理方法においては、運行時刻軸５２に沿って車両の走行速度やエンジン回転数を出力することを特徴としている。この方法により、特にアルコール濃度測定と運転状態との関連が明確になり、ドライバーに対する指導が的確と成る。
【００４７】
さらに、本発明の実施形態の車両用運行管理方法においては、識別子ＩＤは、アルコール濃度測定時刻の前方に配置され、アルコール濃度未検出は◇で出力され、アルコール濃度検出は◆で出力されたことを特徴としている。この方法により、アルコール濃度の検出・未検出の違いが明確と成り、より良い車両用運行管理方法が可能となる。
【００４８】
また、本発明の実施形態の車両用運行管理方法においては、少なくとも運行記録計１０とアルコール測定装置２０と管理コンピュータ３０とを備え、運行記録計１０に備わるメモリカード１５から、アルコール測定装置２０から得られるアルコール濃度測定データを含む運行記録１０に関する各種データを、管理コンピュータ３０で解析し、運転日報５０に出力される運行時刻軸５２に沿って、アルコール濃度測定時刻と、アルコール濃度を検出したことを識別できる識別子ＩＤと、を出力する。また、メモリカード１５から取得されるアルコール濃度測定回数をカウントし、アルコール濃度検出回数をカウントして、運転日報５０の一管理項目５１としてそれぞれの回数を出力することを特徴としている。
【００４９】
この方法により、アルコール濃度測定の記録が時系列的に把握できると共に、アルコール濃度測定を実行した回数とアルコール検出回数の対比が可能となり、同一運行内で行うアルコール濃度測定の回数に寄らず、全ての結果が一指標で把握でき、運転者の飲酒運転を厳格に管理可能とし、運行管理指導の判断基準とすることができる。
【００５０】
そして、本発明の実施形態の車両用運行管理方法においては、運行時刻軸５２に沿って車両の速度やエンジン回転数をグラフとして出力し、グラフの下方に識別子ＩＤを出力することを特徴としている。この方法により、特にアルコール濃度測定と運転状態との関連が明確になり、ドライバーに対する指導が的確と成る。
【００５１】
さらに、本発明の実施形態の車両用運行管理方法においては、識別子ＩＤは、アルコール濃度測定時刻の前方に配置され、アルコール濃度未検出は◇で出力され、アルコール濃度検出は◆で出力されたことを特徴としている。この方法により、アルコール濃度の検出・未検出の違いが明確と成り、より良い車両用運行管理方法が可能となる。
【００５２】
また、本発明の実施形態の車両用運行管理方法においては、出力がディスプレイ３１の画面表示であることを特徴としている。この方法により、ドライバーが業務を完了して車両を入庫後、運転管理者等と直ちに面談ができ、その日の業務状況の報告や相談が可能となり、安全運転管理が向上する。
【００５３】
また、本発明の実施形態の車両用運行管理方法においては、出力がプリンター３２帳票等の印刷物であることを特徴としている。この方法により、一枚の帳票印刷内に運行記録と共にアルコール濃度測定記録も表すことができるため、より優れた安全運転分析が可能となる。
【００５４】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００５５】
メモリカードからのデータを運行管理者が解析すると説明したが、運行管理者に準ずる人、解析の担当者、または運転手でもよい。管理コンピュータ３０で解析することが目的である。
【００５６】
アルコール検出項目５１が上段に出力されていることを説明したが、特にその位置に限定する必要は無く、適宜レイアウトの変更が可能であり、［アルコール検出回数／アルコール濃度測定回数］が出力されていればよく、出力形態も自由である。
【符号の説明】
【００５７】
１０  運行記録計
１１  制御部
１４  ＧＰＳユニット
１５  メモリカード
１６  通信ユニット
２０  アルコール測定装置
３０  管理コンピュータ
３１  ディスプレイ
３２  プリンター
３３  カードリーダ
【図１】
0005947509.tif 000002
【図２】
0005947509.tif 000003
【図３】
0005947509.tif 000004
【図４】
0005947509.tif 000005
【図５】
0005947509.tif 000006